(57)【要約】【課題】軟包装袋の形状を保持し、軟包装袋と成形容器とを一体化して陳列スペースの省スペース化を実現する。【解決手段】包装体１０は、上端部１３が閉じられ下端部１４の開口からパウチ容器３０を出し入れ可能な筒形状を有し、パウチ容器３０を支える支持片１８が下端部１４に設けられた筒状台紙１１と、筒状台紙１１の外面に貼着された成形容器４０とを備える。また、包装体１０は、成形容器４０の形状に追従して装着された筒状シュリンクフィルム１２を有し、筒状シュリンクフィルム１２を介して成形容器４０が筒状台紙１１の外面に貼着されている。【選択図】図４
2013184710.tif 000002
【特許請求の範囲】
【請求項１】
上端部が閉じられ下端部の開口から軟包装袋を出し入れ可能な筒形状を有し、前記軟包装袋を支える支持部が前記下端部に設けられた包装体基部と、
前記包装体基部の外面に貼着された成形容器と、
を備えることを特徴とする包装体。
【請求項２】
請求項１に記載の包装体において、
前記軟包装袋は、一対の胴部シート、及び前記一対の胴部シートの間に内側に折り込まれて挿入され、底ガセット部を形成する底ガセットシートから構成されたパウチ容器であり、
前記支持部は、前記下端部から延出する片を内側に折り曲げて、前記パウチ容器の下端部から前記一対の胴部シートの間に差し込まれる支持片であることを特徴とする包装体。
【請求項３】
請求項２に記載の包装体において、
前記包装体基部は、前記上端部に、前記パウチ容器の前記下端部から前記一対の胴部シートの間に差し込み可能な延出部を有することを特徴とする包装体。
【請求項４】
請求項３に記載の包装体において、
前記包装体基部には、
上下方向に沿った２本の折り目線により前面部と後面部とが形成されており、
前記下端部から当該折り目線のうち少なくとも一方に沿って切り込まれたカット線、又は当該折り目線のうち少なくとも一方から前記下端部に亘るカット部が形成されていることを特徴とする包装体。
【請求項５】
請求項１〜４のいずれか１項に記載の包装体において、
前記包装体基部は、前記軟包装袋が収容される部分から横方向に張り出した張り出し部を有し、
当該張り出し部に前記成形容器が貼着されていることを特徴とする包装体。
【請求項６】
請求項１〜５のいずれか１項に記載の包装体において、
前記成形容器は、シュリンクフィルムを介して前記包装体基部に貼着されていることを特徴とする包装体。
【発明の詳細な説明】
【技術分野】
【０００１】
本発明は、包装体に関する。
【背景技術】
【０００２】
シャンプーや洗剤などのトイレタリー商品は、詰め替え用のパウチ容器などの軟包装袋からプラスチックボトル等の成形容器に内容物を詰め替えて使用されることが多い。一般的に、パウチ容器などの軟包装袋と成形容器とは別々に販売されているが、例えば、同じ内容物が充填された軟包装袋と成形容器を二つ一組にして袋に入れてセット販売される場合がある。
【０００３】
なお、本発明に関連する技術として、付属物品を収容する袋が設けられたラベルを備えるラベル付き成形容器が提案されている（特許文献１参照）。
【先行技術文献】
【特許文献】
【０００４】
【特許文献１】実開平６−８１９４０号公報
【発明の概要】
【発明が解決しようとする課題】
【０００５】
ところで、軟包装袋と成形容器を二つ一組にして袋に入れてセット販売する場合、軟包装袋は保形性が悪いので陳列させにくいという問題がある。さらに、軟包装袋と成形容器との間に、またこれら容器と袋との間に余分なスペースが発生し、大きな陳列スペースを要するという問題がある。また、商品を段積みして陳列スペースを小さくしたいという要望もあるが、かかる販売形態では商品を段積みすることはできない。
【課題を解決するための手段】
【０００６】
本発明に係る包装体は、上端部が閉じられ下端部の開口から軟包装袋を出し入れ可能な筒形状を有し、前記軟包装袋を支える支持部が前記下端部に設けられた包装体基部と、前記包装体基部の外面に貼着された成形容器とを備えることを特徴とする。
【０００７】
上記構成によれば、軟包装袋を包装体基部の内部に収容し、成形容器を包装体基部の外面に貼着して、軟包装袋と成形容器とを一体化することができる。即ち、包装体基部により軟包装袋の保形性を保ち、その状態で各容器が結束されているため、商品を陳列しやすくなり、軟包装袋と成形容器との間に大きなスペースが発生することを防止することができる。したがって、上記構成によれば、セット販売時の商品の見栄えがよく、陳列スペースを省スペース化できる。
【０００８】
本発明に係る包装体において、前記軟包装袋は、一対の胴部シート、及び前記一対の胴部シートの間に内側に折り込まれて挿入され、底ガセット部を形成する底ガセットシートから構成されたパウチ容器であり、前記支持部は、前記下端部から延出する片を内側に折り曲げて、前記パウチ容器の下端部から前記一対の胴部シートの間に差し込まれる支持片とした構成とすることが好適である。
当該構成によれば、詰め替え用の軟包装袋として広く使用されているパウチ容器（底ガセット部を有し、自立可能な所謂スタンディングパウチ）が販売時や運搬時において包装体基部から抜け落ちることを十分に防止できる。また、一対の胴部シートの間に支持片を差し込むという簡単な構造によりパウチ容器を支持できるため、パウチ容器の出し入れが容易である。
【０００９】
本発明に係る包装体において、前記包装体基部は、前記上端部に、前記パウチ容器の前記下端部から前記一対の胴部シートの間に差し込み可能な延出部を有する構成とすることが好適である。
当該構成によれば、一の包装体の延出部を、他の包装体に収容されたパウチ容器（スタンディングパウチ）の底に差し込んで、一の包装体の上に他の包装体を段積みすることができる。このとき、延出部は底ガセットシートの折り目線に当接して、スタンディングパウチが動かないようにすることが好ましい。なお、かかる段積み形態では、一の包装体の成形容器上に他の包装体の成形容器を配置することが好ましい。
【００１０】
また、延出部を有する構成において、前記包装体基部には、上下方向に沿った２本の折り目線により前面部と後面部とが形成されており、前記下端部から当該折り目線のうち少なくとも一方に沿って切り込まれたカット線、又は当該折り目線のうち少なくとも一方から前記下端部に亘るカット部が形成されていることが好適である。
当該構成によれば、カット線又はカット部により一の包装体を他の包装体に深く差し込むことができる。これにより、上記段積み形態の安定性が向上する。
【００１１】
本発明に係る包装体において、前記包装体基部は、前記軟包装袋が収容される部分から横方向に張り出した張り出し部を有し、当該張り出し部に前記成形容器が貼着されていることが好適である。
当該構成によれば、包装体基部の軟包装袋が収容される部分を避けて成形容器を貼着することにより、成形容器によって軟包装袋が隠れることを防止できる。包装体基部に不透明な基材を用いた場合には、例えば、軟包装袋が収容された部分に開口部を形成することで軟包装袋のデザインを見せることができる。
【００１２】
本発明に係る包装体において、前記成形容器は、シュリンクフィルムを介して前記包装体基部に貼着されていることが好適である。
【発明の効果】
【００１３】
本発明に係る包装体は、包装体基部により軟包装袋の形状を保持し、軟包装袋と成形容器とを一体化して陳列スペースの省スペース化を実現する。また、本発明に係る包装体は、段積み可能な形態とすることができ、段積みにより更なる省スペース化を可能とする。
【図面の簡単な説明】
【００１４】
【図１】本発明に係る実施形態の一例である包装体を示す正面図である。
【図２】図１に示す包装体の底面図である。
【図３】図１に示す包装体において、包装体基部のみを抜き出して示す平面図である。
【図４】図１に示す包装体の段積み形態を示す平面図である。
【図５】図４に示す段積み形態を説明するための図である。
【図６】本発明に係る実施形態の一例である包装体の変形形態を示す正面図である。
【図７】本発明に係る実施形態の一例である包装体の別の変形形態を示す正面図である。
【図８】図７に示す包装体の段積み形態を示す平面図である。
【発明を実施するための形態】
【００１５】
図面を参照しながら、本発明に係る実施形態の一例である包装体１０、及びその変形形態である包装体１０ｘ，１０ｙについて以下詳細に説明する。
【００１６】
本明細書では、筒形状を有する包装体基部の軸方向端部のうち閉じられた一方の端部を「上端部」とし、他方の端部を「下端部」とする。下端部は、通常、包装体の販売時に上端部よりも鉛直下方に位置して商品陳列棚に接触する。また、包装体では、上端部と下端部とを結ぶ方向を「上下方向」とし、上下方向に直交する方向を「水平方向」とする。
【００１７】
実施形態では、包装体基部として、２本の折り目線１７ａ，１７ｂを有する筒状台紙１１を例示するが、包装体基部は、折り目線１７ａ，１７ｂを有さない形態であってもよい。以下では、上記水平方向のうち、折り目線１７ａ，１７ｂを結ぶ方向を「横方向（又は幅方向）」と称し、横方向に直交する方向を「前後方向（又は厚み方向）」と称する。また、筒状台紙１１は、後述するように延出部２３を有するが、包装体基部は、延出部２３を有さず段積みを想定しない形態であってもよい。なお、延出部２３を有さず上端部がフラットな形態であっても、例えば、下端部から折り目線１７ａ，１７ｂの少なくとも一方に沿ったカット線を形成して、一の包装体基部の上部に他の包装体基部の下部を差し込めるようにして段積みを可能にしてもよい。
【００１８】
また、実施形態では、包装体基部の内部に収容される軟包装袋として、スタンディングパウチであるパウチ容器３０を例示するが、軟包装袋は、所謂、平パウチやサイドガセットパウチなどの形態を含む、可撓性シートによって袋状に形成された容器のいずれの形態であってもよい。
【００１９】
また、実施形態では、包装体基部の外面に貼着される成形容器として、プラスチックボトルである成形容器４０を例示するが、成形容器は、瓶や金属缶、紙製容器などを含む他の容器形態であってもよい。
【００２０】
以下、図１〜図３を参照しながら、包装体１０の構成について詳説する。
図１は、包装体１０を示す正面図、図２は、包装体１０の底面図である。図３は、包装体１０の筒状台紙１１のみを抜き出して示す平面図である。図１では、筒状台紙１１の内部に収容されたパウチ容器３０を一点鎖線で示し、パウチ容器３０の外部から見える部分に網目ハッチングを、貼着部２２に斜線ハッチングをそれぞれ付する。また、図１，２では、筒状シュリンクフィルム１２にドットハッチングを付する。
【００２１】
図１〜図３に示すように、包装体１０は、上端部１３が閉じられ下端部１４の開口からパウチ容器３０を出し入れ可能な筒形状を有し、パウチ容器３０を支える支持片１８が下端部１４に設けられた筒状台紙１１と、筒状台紙１１の外面に貼着された成形容器４０とを備える。また、包装体１０は、成形容器４０の形状に追従して装着された筒状シュリンクフィルム１２を有する。そして、成形容器４０は、筒状シュリンクフィルム１２を介して筒状台紙１１の外面に貼着されている。即ち、包装体１０は、パウチ容器３０を収容する筒状台紙１１に、成形容器４０を包装する筒状シュリンクフィルム１２を貼着した形態を有する。
【００２２】
包装体１０は、被包装物として、パウチ容器３０及び成形容器４０を備える。パウチ容器３０は、例えば、所謂詰め替え用パウチであって、パウチ容器３０及び成形容器４０には同じ内容物が充填されている。
【００２３】
パウチ容器３０は、前面シート３１と、後面シート３２と、底ガセットシート３３とを備え、各シートの端縁同士が接合されて容器内部空間を形成した一般的な詰め替え用のスタンディングパウチである。前面シート３１及び後面シート３２は、パウチ容器３０の胴部（前面部及び後面部）を構成する胴部シートであり、底ガセットシート３３は、前面シート３１と後面シート３２との間に内側に折り込まれて挿入され、底ガセット部を形成するシートである。パウチ容器３０は、底ガセットシート３３が展開することにより上方から下方に向かって次第に厚みが大きくなって膨らみ自立性を発現する。なお、各シートは樹脂フィルムにより構成されることが好適である。各シートには、通常、内容物の商品名や原材料、使用上の注意事項等の商品説明、その他各種デザインなどを表示するための印刷層（図示せず）が設けられる。
【００２４】
成形容器４０は、径方向に切断した断面が略円形状であり上部が縮径して内容物の注出口が形成された胴部４１と、胴部４１の注出口を開閉するキャップ部４２とを備えた一般的なプラスチックボトルである。パウチ容器３０は折り曲げ可能な可撓性を有する軟包材容器であるのに対し、成形容器４０は、可撓性のないハードボトルである。なお、胴部４１の底には、窪み４３が形成されている。
【００２５】
筒状台紙１１は、内部にパウチ容器３０を収容でき、外面に成形容器４０を貼着可能な筒形状を有する台紙である。筒状台紙１１は、上端部１３側の開口が閉じられ、下端部１４側のみが開口しており、上端部１３から下端部１４に向かって次第に膨出した形状を有する。かかる膨出形状は、パウチ容器３０の形状に対応したものであって、下端部１４の開口からパウチ容器３０を内部に収容することで形成される。なお、筒状台紙１１は、各容器の上下方向長さよりも長い上下方向長さを有し、パウチ容器３０を折り曲げることなく収容可能な内部容積を有することが好適である。
【００２６】
また、筒状台紙１１には、成形容器４０が貼着される前面部１５と、前面部１５に対向配置される後面部１６とが形成されている。前面部１５及び後面部１６は、同一の外形形状、外形寸法を有しており、上端部１３の幅方向両側から上下方向に沿って延びた２本の折り目線１７ａ，１７ｂにより形成されている。上端部１３では、その内面同士、即ち前面部１５と後面部１６の内面同士が接着剤等により接合されており、上端部１３は幅方向に沿って平坦な形状を呈している。一方、下端部１４では、前面部１５と後面部１６とが互いに離間するように幅方向中間部が膨出している。
【００２７】
なお、図３に示すように、折り目線１７ａ，１７ｂは、パウチ容器３０が収容されていない状態では互いに略平行であるが、パウチ容器３０を収容すると筒状台紙１１の下部が膨らむため、図１に示すように、折り目線１７ａ，１７ｂの間隔は、上端部１３から下端部１４に向かって次第に狭くなっている。即ち、筒状台紙１１の幅は、上端部１３よりも下端部１４の方がやや小さくなっている。
【００２８】
筒状台紙１１には、内部に収容するパウチ容器３０の形状を保持するのに適切な強度を有する材質、例えば、合成樹脂製シートを用いることもできるが、紙材を主基材とするシート（以下、「紙基材」という）を用いることが好適である。紙基材としては、紙のみからなる厚紙や紙製シートに各種樹脂をコーティング又は樹脂製シートを張り合わせた合成紙等が例示できる。なお、紙基材には、内容物の商品名や各種デザインなどを表示する印刷を設けることができる。以下、筒状台紙１１は、不透明な紙基材から構成されるものとして説明する。
【００２９】
筒状台紙１１は、例えば、紙基材を筒状にまるめて端縁同士を重ね合わせ、重ね合わせた部分同士を接着剤等により接合した後、軸方向に沿って折り目線１７ａ，１７ｂを形成してから上端部１３の内面同士を接合することにより形成される。
【００３０】
また、筒状台紙１１には、下端部１４に２つの支持片１８が設けられている。支持片１８は、下端部１４から延出する片を内側に折り曲げてなり、パウチ容器３０の下端部から前面シート３１と後面シート３２との間に差し込まれてパウチ容器３０を支える支持部である。より詳しくは、一の支持片１８が前面部１５に設けられており、前面シート３１に沿うように差し込まれる。そして、他の支持片１８が後面部１６に設けられており、後面シート３２に沿うように差し込まれる。これにより、パウチ容器３０が筒状台紙１１の内部から抜け落ちることなく安定に支持される。また、支持片１８は、パウチ容器３０を押し上げて下端部１４から浮かした状態で支持することが好適である。
【００３１】
支持片１８は、一対の胴部シートの間に差し込むことができ、好ましくは底ガセットシート３３を押し上げることができる形状、寸法を有する。具体的には、パウチ容器３０の幅方向両側に形成されたサイドシール部同士の間隔以下の幅（例えば、サイドシール部同士の間隔の５０〜９５％程度）、及びパウチ容器３０の底の前後方向長さ（厚み）の１／２程度の上下方向長さを有することが好ましい。支持片１８は、幅方向に延びた略矩形形状を有するが、支持片の形状はこれに限定されない。
【００３２】
また、筒状台紙１１は、パウチ容器３０が収容されている部分である収容部１９から横方向に張り出した張り出し部２０を有する。換言すると、筒状台紙１１のうち、パウチ容器３０を覆っている部分が収容部１９、パウチ容器３０を覆っていない部分が張り出し部２０である。具体的には、張り出し部２０が収容部１９の幅方向片側から幅方向に張り出しており、筒状台紙１１の幅をパウチ容器３０（収容部１９）の幅の１．２〜１．７倍程度とすることが好適である。
【００３３】
収容部１９には、前面部１５を構成する紙基材を貫通して開口部２１が形成されている。開口部２１は、筒状台紙１１に収容されたパウチ容器３０を外部から視認可能とするための孔であり、図示する略楕円形状に限定されず種々の形状を適用できる。開口部２１は、例えば、商品名を表示するパウチ容器３０の印刷層が見える位置に形成される。また、開口部２１は、複数形成されてもよく、後面部１６に形成されてもよい。
【００３４】
張り出し部２０には、前面部１５の外面上に成形容器４０を貼着するための貼着部２２が形成されている。貼着部２２は、例えば、前面部１５の外面上に接着剤を塗工することにより形成され、筒状シュリンクフィルム１２を介して前面部１５と成形容器４０とを強く接合する。貼着部２２は、成形容器４０を強く引っ張っても剥がれない接着強度に設定することができ、この場合、筒状シュリンクフィルム１２に後述のミシン目線を設けることが好適である。なお、張り出し部２０は、筒状台紙１１の剛性を高めるために、前面部１５と後面部１６の内面同士が接合されていてもよい。
【００３５】
つまり、筒状台紙１１では、収容部１９を避けて張り出し部２０に成形容器４０が貼着されているため、収容部１９の開口部２１が成形容器４０により隠れることなく、筒状台紙１１の外部からパウチ容器３０の印刷層等を容易に視認することができる。
【００３６】
なお、張り出し部２０において、成形容器４０は、その下端部の位置と、筒状台紙１１の下端部１４の位置とが一致するように貼着されている。即ち、成形容器４０の下端部、及び筒状台紙１１の下端部１４のいずれも、包装体１０の販売時に商品陳列棚に接触する。このため、包装体１０は、安定した自立性を有する。
【００３７】
筒状シュリンクフィルム１２は、例えば、成形容器４０を保護し、成形容器４０を筒状台紙１１に貼着するための樹脂フィルムである。なお、成形容器４０は、筒状台紙１１に直接貼着されてもよいが、この場合、成形容器４０に接着剤等が付着するため筒状シュリンクフィルム１２を介して貼着することが好適である。筒状シュリンクフィルム１２は、上下両端が開口した筒形状を有し、成形容器４０に被嵌された後、加熱処理されることで熱収縮して成形容器４０の形状に追従して装着される。
【００３８】
筒状シュリンクフィルム１２は、従来公知の一軸又は二軸延伸された樹脂フィルムを、接着剤等を用いて、又は熱溶着により所謂センターシールして作製される。成形容器４０には、通常、商品名等が印刷されたラベルが設けられるため、筒状シュリンクフィルム１２には、無色透明なフィルムを用いることができるが、必要により印刷層が形成されたフィルムを用いてもよい。また、筒状シュリンクフィルム１２には、包装体１０の廃棄時等にフィルムを破断するためのミシン目線を設けてもよい。
【００３９】
筒状シュリンクフィルム１２は、キャップ部４２の上下方向中央部から胴部４１の下端部近傍に亘って装着されている。かかる装着形態によれば、キャップ部４２が筒状シュリンクフィルム１２によって被覆されるため、流通過程における成形容器４０の開封を防止できる。なお、筒状シュリンクフィルム１２の装着形態は、図示する形態に限定されず、例えば、胴部４１の一部を覆う形態、或いは成形容器４０の全体を覆う形態であってもよい。
また、シュリンクフィルムは筒状形態に限定されず、例えば、筒状シュリンクフィルムの一方端を熱溶着等により閉じた形態であってもよい。
【００４０】
以下、図４及び図５を更に参照しながら、包装体１０の段積み形態について詳説する。
図４は、包装体１０の段積み形態を示す正面図、図５は、包装体１０の段積みを行う様子を示す要部拡大図である。図４では、一の包装体１０（「包装体１０ａ」とする）の上に、他の包装体１０（「包装体１０ｂ」とする）を二段積みした形態を例示するが、三段以上積み上げた形態とすることも可能である。なお、図４では、筒状台紙１１ｂに収容されたパウチ容器３０ｂのみを一点鎖線で示し、包装体１０ｂの隠れ線を細かい鎖線で、包装体１０ａの隠れ線を粗い鎖線でそれぞれ示す。また、図面の明瞭化のため、貼着部２２や一部の符号を省略する。
【００４１】
図１，３に示すように、筒状台紙１１は、パウチ容器３０の下端部から一対の胴部シートの間に差し込み可能な延出部２３を有する。延出部２３は、上端部１３の一部が上方に延出した部分であって、パウチ容器３０が収容された収容部１９の上方に設けられる。延出部２３は、折り目線１７ｂから幅方向に沿って３〜１０ｍｍ程度離れた位置より、支持片１８と同程度の幅で設けられている。なお、段積み形態の安定性の観点等から、延出部２３の幅は、パウチ容器３０のサイドシール部の間隔の５０〜９５％程度が好ましく、より好ましくは７０〜９０％程度である。また、延出部２３の上下方向長さは、パウチ容器３０の底に延出部２３が差し込まれたときに底ガセットシート３３の折り目線３４（図２参照）に接触可能な長さであることが好ましい。具体的には、支持片１８と同程度の上下方向長さを有することが好適である。
【００４２】
また、筒状台紙１１には、延出部２３と折り目線１７ｂとの間に段部２４が形成されている。延出部２３の幅方向両端から延びる上端部１３は、幅方向に沿った直線状に形成されているが、上端部１３の折り目線１７ｂに接する部分は、これより一段低い高さとなっている。かかる段差部分である段部２４は、例えば、前面部１５及び後面部１６を折り目線１７ｂから正面視略Ｌ字状にカットして形成される。段部２４の上段と下段との差は、支持片１８により持ち上げられたパウチ容器３０の下端部（底ガセット部）から筒状台紙１１の下端部１４までの長さと同程度であることが好適である。即ち、段部２４は、上段にパウチ容器３０の下端部が載り、下段に下端部１４が載るように形成されることが好適である。
【００４３】
更に、筒状台紙１１には、折り目線１７ａから下端部１４に亘るカット部２５が形成されている。カット部２５は、詳しくは後述するように、段積み形態の安定性を向上させる機能を有し、筒状台紙１１では、段部２４と反対側に位置する幅方向片側のみに形成されている。カット部２５は、例えば、張り出し部２０の前面部１５及び後面部１６を折り目線１７ａから下端部１４に向かって正面視直線状にカットして形成される。
【００４４】
図４，５に示すように、上記構成を備えた包装体１０は、一の包装体１０（包装体１０ａ）の上に、他の包装体１０（包装体１０ｂ）を段積みすることができる。なお、以下では、平坦な場所に自立させた包装体１０ａ上に包装体１０ｂを段積みするものとして段積み形態を説明する。即ち、図４，５に示す段積み形態では、包装体１０ａの筒状台紙１１ａの上部に、包装体１０ｂの筒状台紙１１ｂの下部が差し込まれている。
【００４５】
具体的には、筒状台紙１１ａの延出部２３ａに、筒状台紙１１ｂに収容されたパウチ容器３０ｂの底が差し込まれており、延出部２３ａが底ガセットシート３３ｂの折り目線に接触していることが好ましい。即ち、延出部２３ａは、パウチ容器３０ｂのサイドシール部によって幅方向両側から挟まれ、底ガセットシート３３ｂによって前後方向両側から挟まれている。なお、パウチ容器３０ｂの延出部２３ａへの差し込みは、支持片１８ｂがパウチ容器３０ｂの底を持ち上げることで容易になる。そして、筒状台紙１１ｂの下端部１４ｂが成形容器４０ａの上端部よりも下方まで、筒状台紙１１ｂの下部が筒状台紙１１ａの上部に深く差し込まれている。かかる深い差し込み形態は、筒状台紙１１ｂのカット部２５ｂと、筒状台紙１１ａの段部２４ａとにより実現される。更に、包装体１０ａの成形容器４０ａ上に、包装体１０ｂの成形容器４０ｂが配置されている。このとき、成形容器４０ａのキャップ部４２ａが成形容器４０ｂの窪み４３ｂに嵌るように配置される。
【００４６】
包装体１０ａと包装体１０ｂとの段積み形態では、延出部２３ａにパウチ容器３０ｂの底を差し込むことにより包装体１０ａに対する包装体１０ｂの位置を固定する。つまり、筒状台紙１１ｂに収容されたパウチ容器３０ｂを利用して包装体１０ｂが前後左右に動かないようにする。なお、延出部２３ａは、前面部１５ａと後面部１６ａとが接合されることで高い剛性を発現するため、パウチ容器３０ｂの重量により折れ曲がることなく包装体１０ｂのズレを防止する。そして、筒状台紙１１ｂが筒状台紙１１ａに深く差し込まれると共に、成形容器４０ａ上に成形容器４０ｂが配置されることで安定した段積み形態が実現される。
【００４７】
以上のように、包装体１０によれば、筒状台紙１１によりパウチ容器３０と成形容器４０とを一体化して包装形状を保持することで、販売時における陳列スペースの省スペース化を図ることができる。また、包装体１０は、段積みにより更なる省スペース化を可能とする。
【００４８】
上記実施形態は、本発明の目的を損なわない範囲で適宜設計変更することができる。
図６〜図８に、包装体１０の変形形態の例（変形例）を示す。以下では、包装体１０との相違点を説明し、包装体１０と同様の構成要素には同一符号を付して又は符号を省略して重複する説明を省略する。
【００４９】
図６に例示する包装体１０ｘは、持ち運ぶ際に指がかけられる把手孔６０を有する。把手孔６０は、前面部１５ｘ及び後面部１６ｘを貫通して形成された貫通孔であって、筒状台紙１１ｘの延出部２３の下方に形成されている。なお、把手孔６０を利用して包装体１０を持ち運ぶと孔の上縁部に包装体１０ｘの重量が作用するが、かかる上縁部は前面部１５ｘと後面部１６ｘとが接合されて剛性が高くなっているため、撓みや破断が発生することなく良好な持ち運び性を実現できる。把手孔６０の孔形状としては、図示する略矩形形状に限定されず種々の形状を適用できる。また、把手孔６０は貫通孔に限定されず、例えば、切り込み部を形成し当該切込み部を折り曲げて把手孔としてもよい。
【００５０】
図７に例示する包装体１０ｙは、段部２４を有さず、また包装体１０の場合と比較して延出部２３ｙの延出長さが長くなった形態を有する。より詳しくは、延出部２３ｙ（延出部２３ｙにおける上端部１３ｙ）から下端部１４までの上下方向長さは、包装体１０の場合と同様であるが、延出部２３ｙの幅方向両端から延びる上端部１３ｙ（以下、「上端部１３ｙ*」とする）の高さが成形容器４０の上端の高さよりも低くなっている。上端部１３ｙ*は、延出部２３ｙの両側において同じ高さで幅方向に沿って直線状に形成されている。
【００５１】
図８に包装体１０ｙの段積み形態を示す。図８に示すように、包装体１０の場合と同様にして一の包装体１０ｙ上に他の包装体１０ｙを段積みすることができる。この場合も、延出部２３ｙがパウチ容器３０の底に差し込まれることで一の包装体１０ｙに対する他の包装体１０ｙの位置が固定される。但し、包装体１０ｙには、段部２４及びカット部２５が形成されておらず、上端部１３ｙ*の高さが低いため、他の包装体１０ｙには、一の包装体１０ｙの延出部２３ｙ以外の部分は差し込まれず、上端部１３ｙ*上に他の包装体１０ｙの下端部１４ｙが載った段積み形態となる。
【符号の説明】
【００５２】
１０  包装体、１１  筒状台紙、１２  筒状シュリンクフィルム、１３  上端部、１４  下端部、１５  前面部、１６  後面部、１７ａ，１７ｂ  折り目線、１８  支持片、１９  収容部、２０  張り出し部、２１  開口部、２２  貼着部、２３  延出部、２４  段部、２５  カット部、３０  パウチ容器、３１  前面シート、３２  後面シート、３３  底ガセットシート、３４  折り目線、４０  成形容器、４１  胴部、４２  キャップ部、４３  窪み、６０  把手孔。
【図１】
2013184710.tif 000003
【図２】
2013184710.tif 000004
【図３】
2013184710.tif 000005
【図４】
2013184710.tif 000006
【図５】
2013184710.tif 000007
【図６】
2013184710.tif 000008
【図７】
2013184710.tif 000009
【図８】
2013184710.tif 000010